(57)【要約】【課題】電子メール自動応答システムを用いたネットオークションシステムを提供する。【解決手段】電子メールに関する情報を蓄積・更新するデータベース２０と、複数からなる階層化したカテゴリにユニークＩＤを割当てた受信メールを所定の条件に基づき振分けデータベースに格納するメール振分け手段７と、振分けられる電子メールに対応する自動返信文を予め作成しデータベースに登録し作成した自動返信文と受信した電子メール毎に異なるユニークなメールアドレスとを返信用電子メールに埋込み利用者に自動返信を行う自動返信文作成・返信手段８と、利用者からの返信メールに含まれるユニークなメールアドレスを解析しユニークＩＤと照合して振分け先を決定するＩＤ照合手段９とを備えた自動返信メールシステムを用い、店舗等の委託業務を支援するホスティングサービス管理手段１３と、ネットオークションを開催するネットオークション管理手段１４とを備える。【選択図】図１
2005322142.tif 000002
【特許請求の範囲】
【請求項１】
電子メールによる利用者からの問合わせに対して電子メールにより自動応答するコンピュータシステムであって、
電子メール及び該電子メールのメールアドレスを含む電子メールに関する情報を蓄積・更新するためのデータベースと、
複数からなる階層化したカテゴリに利用者から受信したユニークＩＤを割当てた電子メールを所定の条件に基づき振分け前記データベースに格納するメール振分け手段と、
前記各カテゴリに振分けられる電子メールに対応する自動返信文を予め作成し前記データベースに登録する自動返信文作成手段と、
前記自動返信文作成手段で作成され登録されたデータベース内の自動返信文と、受信した電子メール毎に異なるユニークなメールアドレスとを返信用電子メールに埋込み利用者に自動的に返信を行う自動返信手段と、
前記自動返信文に対して返信された利用者からの電子メールに含まれる前記ユニークなメールアドレスを解析し、前記データベースに格納されている前記ユニークＩＤと照合して振分け先を決定するＩＤ照合手段とを備えることを特徴とする電子メール自動応答システム。
【請求項２】
前記自動返信手段は、当該利用者への送信先メールアドレスと、前記ユニークＩＤを含むユニークな発信元アドレスと、予め作成し登録したカテゴリ毎の自動返信文の雛形に前記ユニークＩＤを含むメールアドレスが添付され当該利用者からの返信により次に振分けられる子カテゴリ情報とを埋込み当該利用者に自動送信することを特徴する請求項１に記載の電子メール自動応答システム。
【請求項３】
前記自動返信手段で電子メールに埋込まれ利用者へ送信されるユニークＩＤに対し、チェックデジットの付加および／又は該ユニークＩＤを暗号化するセキュリティ手段をさらに備えることを特徴とする請求項２に記載の電子メール自動応答システム。
【請求項４】
前記メール振分け手段は、少なくとも電子メール毎に異なるユニークＩＤと、振分けられるカテゴリ情報と、次に振分けられる可能性のある子カテゴリ情報と、複数の前記カテゴリ情報からなる処理区分を表すトピックＩＤと、該トピックＩＤが割当てられた処理区分内で電子メールの送受信の順序を示すトピックシリアルＩＤとの各レコードを含む振分け情報として前記データベースのテーブルに登録することを特徴とする請求項１に記載の電子メール自動応答システム。
【請求項５】
前記ユニークＩＤは、所定の桁数で構成された暗号化符号又は非暗号化符号であり電子メールと利用者とを関連付けるセッションＩＤであることを特徴とする請求項４に記載の電子メールの自動応答システム。
【請求項６】
前記ＩＤ照合手段は、受信した電子メールに含まれる前記ユニークＩＤを含むメールアドレスを解析し、前記データベースのセッションＩＤと照合することによって振分け先のカテゴリを決定することを特徴とする請求項５に記載の電子メール自動応答システム。
【請求項７】
異なるカテゴリ間で同一利用者に対して別々に発行される前記ユニークＩＤにカテゴリ毎に割当てたユニークな符号を付加し、前記ユニークＩＤ部分を共通にして全体としてユニークになるようにすることによって、カテゴリが異なっても同一利用者であることを識別できるユーザ識別手段をさらに備えることを特徴とする請求項１に記載の電子メール自動応答システム。
【請求項８】
前記データベースのテーブルに各レコードを登録する際に、セッションＩＤより特定できる利用者ＩＤを参照して登録することにより利用者ＩＤを引継ぎ当該利用者の追跡ができるユーザＩＤ登録手段をさらに備えることを特徴とする請求項５に記載の電子メール自動応答システム。
【請求項９】
請求項１乃至８のいずれかに記載の電子メール自動応答システムを用い、予めフリーペーパー、タウン紙等の記録媒体又は情報媒体に貼付けられた前記ユニークＩＤを有するユニークなメールアドレス宛てに送信された利用者からの電子メールを受信・解析しデータベースと照合することで、店舗等の商品又はサービス提供者の委託業務を代理業務の形態で受託し支援するネットオークションシステムであって、
電子メールに含まれるユニークＩＤを基に電子メールの複数のメールアドレスを同一利用者のアドレスとして統合的に管理するメール管理手段と、
前記商品又はサービス提供者の該商品又は該サービスに関する情報を管理するためのホスティングサービス管理手段と、
ネットオークションの開催及び管理を行うためのネットオークション管理手段とを備えることを特徴とする電子メール自動応答システムを用いたネットオークションシステム。
【請求項１０】
前記ホスティングサービス管理手段は、フリーペーパー等の記録媒体に掲載された前記商品又はサービス提供者のクーポン券、メニュー等のサービスコンテンツの広告に含まれる該商品又は該サービス提供者用の前記ユニークＩＤを有するユニークなメールアドレス宛ての利用者からの電子メールを受信した場合、前記商品又はサービス提供者用に用意されたコンテンツ毎に対応するユニークなメールアドレスをそれぞれ付加したコンテンツリストを返信用電子メールとして当該利用者に自動返信し、
さらに、利用者が受信して選択した前記返信用電子メール中の所望のコンテンツに対応するユニークなメールアドレス宛ての電子メールを受信した場合、利用者から受信した該電子メールに含まれる前記ユニークなメールアドレスに基づき利用者が所望するコンテンツの詳細を電子メール毎に対応するユニークなメールアドレスを貼付け返信用電子メールとして自動的に返信することを特徴とする請求項９に記載の電子メール自動応答システムを用いたネットオークションシステム。
【請求項１１】
前記ネットオークション管理手段は、タウン紙等の情報媒体に掲載された商品のネットオーション広告のオークション商品毎に対応して貼付けられた前記ユニークＩＤを有するユニークなメールアドレス宛ての利用者からの電子メールを受信した場合、前記オークション商品毎に対応する入札申込み用のユニークなメールアドレスを付加した返信用電子メールを当該利用者に自動返信し、
さらに、利用者が受信した入札申込み用の前記返信用電子メール中の所望のオークション商品に対応するユニークなメールアドレス宛ての電子メールを受信した場合、利用者から受信した該電子メールに含まれる前記ユニークなメールアドレスに基づき入札情報としてデータベースに登録し、入札条件を満たして落札決定後に電子メール毎に異なる前記ユニークなメールアドレスを埋込んだ返信用電子メールによって当該利用者に落札通知を行うことを特徴とする請求項９に記載の電子メール自動応答システムを用いたネットオークションシステム。
【請求項１２】
前記利用者に対する返信用電子メールには、関連する当該商品又は当該サービスに関する情報を掲載したＷｅｂサイトへのリンク情報が埋込まれていることを特徴とする請求項９に記載の電子メール自動応答システムを用いたネットオークションシステム。
【請求項１３】
前記ユニークＩＤを有するユニークなメールアドレス宛ての利用者からの電子メールは、Ｗｅｂページ内のリンク情報又はＷｅｂフォームメールに含まれる該ユニークなメールアドレスに基づき送信されることを特徴とする請求項９に記載の電子メール自動応答システムを用いたネットオークションシステム。
【発明の詳細な説明】
【技術分野】
【０００１】
本発明は、ユーザとシステム間の電子メールによる双方向通信により、ユーザが要求する情報を自動返信する仕組みであるＩＭＲ（Ｉｎｔｅｒａｃｔｉｖｅ  Ｍａｉｌ  Ｒｅｓｐｏｎｃｅ）を構築する電子メール自動応答システムに関するものであり、また、この電子メール自動応答システムを用いて電子商取引のビジネスチャネルを実現するネットオーションシステムに関するものである。
【背景技術】
【０００２】
従来から、サービス競争の激化に伴って顧客に対するより良いサービスを提供するために、顧客からのフリーダイヤルによる問合わせ等についてコールセンターにおいてＩＶＲ（Ｉｎｔｅｒａｃｔｉｖｅ  Ｖｏｉｃｅ  Ｒｅｓｐｏｎｃｅ）を利用したサービスが多用されている。ＩＶＲは対話型の音声応答システム、及び電話機からアクセス可能なアプリケーションで構成され、この種の最も簡単なアプリケーションとしては、天気予報案内、電話番号案内、映画の上映予定案内などの情報案内があり、このような場合ユーザは実際には何も操作する必要がない。
通常、一般的なＩＶＲと呼ばれるアプリケーションは、ユーザがＤＴＭＦ（トーンダイヤル）、ダイヤルパルス（回転式ダイヤル）、又は、音声認識のいずれかの方法で、コールセンターからの「商品購入についてのご相談は（１）を、修理サービスについては（２）を」と言った指示に従ってダイヤル操作等を行う必要がある。一方、受け付けるＩＶＲアプリケーション側は、例えば、ＣＴＩ（Ｃｏｍｐｕｔｅｒ  Ｔｅｌｅｐｈｏｎｙ  Ｉｎｔｅｇｒａｔｉｏｎ）サーバ形式により発信者電話番号と顧客データベースとを連携してユーザに情報を提供している。
この種のＩＶＲサービスとしては、発注及び出荷状況に対する問合わせ、航空券予約及び予約状況問合わせ、銀行業務（口座振替、残高照会等）、価格情報（株価、商品価格の案内）、タウン情報（飲食・娯楽情報等の案内）、店舗情報、等が挙げられる。
【０００３】
こうしたＩＶＲの開示例としては、例えば、特許文献１の「コールセンターシステム」が知られている。図２３はコールセンターシステムの構成図であって、発信者１００からの呼の交換をＰＢＸ１０１が行い、ＩＶＲを構成する信号受信装置１０２が呼情報を受信して発信者１００からの識別情報をＤＴＭＦ信号として受信し、複数のオペレータ用装置１０３の何れかへの呼の転送をＰＢＸ１０１へ指示すると共に、データベース１０４からＬＡＮ１０５を介し、特定した電話番号等の顧客情報を受信して当該オペレータ用装置１０３へ呼情報を通知する。オペレータ用装置１０３は発信者１００と接続して所望されるサービスを提供する。
【０００４】
更に、最近ではコールセンター業務における従来の機能を拡張したコンタクトセンター業務のように、電子メールによる対応を効率的に行うシステム、及びそのシステムを用いた電子商取引のビジネスチャネルが提供されている。こうした電子メールによる対応の場合は履歴管理が重要になってくるので、電子メールの対応履歴を分かりやすくするために、電子メールのヘッダ部分に含まれる、Ｆｒｏｍ：（差出人）、Ｔｏ：（あて先）、ｍｅｓｓａｇｅ−ＩＤ、Ｒｅｆｅｒｅｎｃｅ、（又は、Ｉｎ−Ｒｅｐｌｙ−Ｔｏ）：（参照）、を解析することによって、元の電子メールに対する返答等のやりとりにおいて親子関係が成立する関連メールを対応付け、ツリーで表示するスレッド表示が行われている。また、同じアドレスから送られてきた電子メールの一覧を表示させることにより、過去のやりとりを参照して電子メールの対応を効率化している。
【０００５】
図２４はこうした電子メール管理システムの一例として、特許文献２に開示の「電子メール管理システム」におけるシステム構成を示しており、電子メール管理システム２０２は、メールサーバ２０１で受信したメール及びメールサーバから送信されるメール情報を記憶手段に保存し、ネットワーク２０３を介して接続される管理用端末を利用する担当者に付与された権限に基づいて、記憶手段に保存されている過去のメールの検索、及びメールの表示を許可するようにして、複数の管理用端末でのメール共有を可能にしている。
【０００６】
また、近年は、ＣＧＩ（Ｃｏｍｍｏｎ  Ｇａｔｅｗａｙ  Ｉｎｔｅｒｆａｃｅ）によるＷｅｂフォームメール等のＷｅｂブラウザ上で操作できる電子メールソフトが多くなり、自分の帰属するプロバイダのホスティングサイトのホームページを、図２５に示すような、登録してあるＩＤ、パスワードを入力して開くことで、そのホームページ上で取得済みのフリーのメールアドレス等を使用して簡単にＷｅｂを介した電子メールの交信を行うことができるので、例えば、職場で電子メールを使用する場合に、職場での通常のメーラー（ＳＭＴＰ、ＰＯＰ等使用）を仕事用に、フリーのメールアドレスを用いたＷｅｂメール等をプライベート用に、という具合に仕事用とプライベート用の電子メールを区別して使い分けたり、或いは、出張先での使用というように使い分けたりすることで、プライバシー対策とすること等も可能であり、電子メールシステムが更に拡張されてきている。
【０００７】
【特許文献１】特開平１１−４６２５１号公報（図１）
【特許文献２】特開２００２−４４１２４号公報（図１）
【発明の開示】
【発明が解決しようとする課題】
【０００８】
しかしながら、上記従来技術として例示した特許文献１のＩＶＲシステムは、不特定多数の顧客からの着信呼を所望の社内内線番号に振分けることによって、１つの代表番号で多数の顧客からの問合わせ電話等に効率的に対応できるようにした振分けシステムであって、不特定多数の顧客から担当する課等の内線番号を特定するだけではなく用件を特定して電話する場合等に、前回応対した当該用件を担当するオペレータ及びオペレータが操作している端末及び内線電話に電話を直接接続できないという不都合がある。
また、特許文献１の、顧客情報を元に顧客との手続きの履歴を参照するコールセンター業務では、その都度担当するオペレータが変化し、このように手続きの状態に応じて担当するオペレータが変化する場合に、着信を適切なオペレータのコンピュータ端末へ接続できないという問題がある。例えば、既に受注済みの案件に対する後日の問合わせを注文番号に応じて行う場合等に、適切なオペレータを特定することができないという不都合がある。
このように特許文献１の場合は、電話というコネクション型の通信形態のために回線が切断されればユーザとシステム間の情報の連続性が失われるので、次回コール時に連続性を維持するためには再び最初から情報交換をし直さなければならないということになり、常にオンラインの状態でない限り両者間の情報連続性が保てないという問題がある。これは回線がＩＰ電話に代わっても事情は同じであり、オークション等のビジネス用サービスチャネルとしては中途半端なものであるという問題がある。
【０００９】
更に、これを改善した特許文献２のような電子メール管理システムにおいても、次のような問題点がある。
（１）ｍｅｓｓａｇｅ−ＩＤ、Ｒｅｆｅｒｅｎｃｅｓ（又は、Ｉｎ−Ｒｅｐｌｙ−Ｔｏ）、に対応していない電子メールソフトウェアプログラムを用いて発信されたメールが届いた場合、電子メールの返信対応関連が分からない。
（２）相手が返信ではなく、署名欄や本文中に記載されているメールアドレスをクリックした場合や、新たにアドレス欄に入力して返信したような場合は、電子メールの返信対応関連が分からない。
（３）相手が受信した電子メールを一旦他のメールアドレスに転送し、自宅等の異なるメールアドレスから返信した場合（例えば、会社で受信した電子メールを自宅のメールアドレスから返信した場合）、相手が識別できない。
このように、従来のシステムでは、連続性が絶たれるなどの問題が発生すること等から、一人のユーザが複数のアドレスを使い分けるような環境においては、ネットオークション等の電子商取引のビジネスチャネルに使用するには不備であるという問題がある。
また、電子メール対応システムにＷｅｂフォームメール等のＷｅｂメールが混入するシステムにおいては、同一ユーザが複数のメールアドレスを所有している場合が多く、特別な設定（外部メールの設定による他の所有アドレスの関連設定等）がなされていない場合は、例えば、一般のメーラーによる電子メールとＷｅｂメールによる電子メールとの識別が不可能なので、職場での電子メールのような仕事関係の電子メールを出張先や自宅等からＷｅｂメール等の異なるメールアドレスを用いて交信したような場合に、電子メールの連続性を保持できないという問題がある。
【００１０】
そこで、本発明は、携帯電話やＰＣ（パーソナルコンピュータ）、ＰＤＡ（携帯情報端末）等如何なるクライアント端末でも制限が無く自由に送受信を行うことが可能で、Ｗｅｂメール等の各種電子メールソフトの混在する電子メール環境においても、電子メールソフトの相違に一切関わりなくメールを一意に識別して連続性の確保を可能とする電子メール自動応答システムを提供することを目的としている。
また、電子メール自動応答システムの構築によって、通信回線の接続を継続しなくても電子メールによる情報の連続性を維持し、関連サービスを迅速に行い、ネットオークション等の電子商取引のビジネスチャンネルによる業務を効率良く展開することができる電子メール自動応答システムを用いたネットオークションシステムを提供することを目的としている。
【課題を解決するための手段】
【００１１】
上記目的を達成するため、本発明の請求項１に係る電子メール自動応答システムは、電子メールによる利用者からの問合わせに対して電子メールにより自動応答するコンピュータシステムであって、
電子メール及び該電子メールのメールアドレスを含む電子メールに関する情報を蓄積・更新するためのデータベースと、複数からなる階層化したカテゴリに利用者から受信したユニークＩＤを割当てた電子メールを所定の条件に基づき振分け前記データベースに格納するメール振分け手段と、前記各カテゴリに振分けられる電子メールに対応する自動返信文を予め作成し前記データベースに登録する自動返信文作成手段と、前記自動返信文作成手段で作成され登録されたデータベース内の自動返信文と、受信した電子メール毎に異なるユニークなメールアドレスとを返信用電子メールに埋込み利用者に自動的に返信を行う自動返信手段と、前記自動返信文に対して返信された利用者からの電子メールに含まれる前記ユニークなメールアドレスを解析し、前記データベースに格納されている前記ユニークＩＤと照合して振分け先を決定するＩＤ照合手段とを備えることを特徴としている。
請求項２に記載の前記自動返信手段は、当該利用者への送信先メールアドレスと、前記ユニークＩＤを含むユニークな発信元アドレスと、予め作成し登録したカテゴリ毎の自動返信文の雛形に前記ユニークＩＤを含むメールアドレスが添付され当該利用者からの返信により次に振分けられる子カテゴリ情報とを埋込み当該利用者に自動送信することを特徴としている。
請求項３に記載の発明は、前記自動返信手段で電子メールに埋込まれ利用者へ送信されるユニークＩＤに対し、チェックデジットの付加および／又は該ユニークＩＤを暗号化するセキュリティ手段をさらに備えることを特徴としている。
請求項４に記載の前記メール振分け手段は、少なくとも電子メール毎に異なるユニークＩＤと、振分けられるカテゴリ情報と、次に振分けられる可能性のある子カテゴリ情報と、複数の前記カテゴリ情報からなる処理区分を表すトピックＩＤと、該トピックＩＤが割当てられた処理区分内で電子メールの送受信の順序を示すトピックシリアルＩＤとの各レコードを含む振分け情報として前記データベースのテーブルに登録することを特徴としている。
請求項５に記載の前記ユニークＩＤは、所定の桁数で構成された暗号化符号又は非暗号化符号であり電子メールと利用者とを関連付けるセッションＩＤであることを特徴としている。
請求項６に記載の前記ＩＤ照合手段は、受信した電子メールに含まれる前記ユニークＩＤを含むメールアドレスを解析し、前記データベースのセッションＩＤと照合することによって振分け先のカテゴリを決定することを特徴としている。
請求項７に記載の発明は、異なるカテゴリ間で同一利用者に対して別々に発行される前記ユニークＩＤにカテゴリ毎に割当てたユニークな符号を付加し、前記ユニークＩＤ部分を共通にして全体としてユニークになるようにすることによって、カテゴリが異なっても同一利用者であることを識別できるユーザ識別手段をさらに備えることを特徴としている。
請求項８に記載の発明は、前記データベースのテーブルに各レコードを登録する際に、セッションＩＤより特定できる利用者ＩＤを参照して登録することにより利用者ＩＤを引継ぎ当該利用者の追跡ができるユーザＩＤ登録手段をさらに備えることを特徴としている。
【００１２】
また、本発明の請求項９に係る電子メール自動応答システムを用いたネットオークションシステムは、請求項１乃至８のいずれかに記載の電子メール自動応答システムを用い、予めフリーペーパー、タウン紙等の記録媒体又は情報媒体に貼付けられた前記ユニークＩＤを有するユニークなメールアドレス宛てに送信された利用者からの電子メールを受信・解析しデータベースと照合することで、店舗等の商品又はサービス提供者の委託業務を代理業務の形態で受託し支援するネットオークションシステムであって、
電子メールに含まれるユニークＩＤを基に電子メールの複数のメールアドレスを同一利用者のアドレスとして統合的に管理するメール管理手段と、前記商品又はサービス提供者の該商品又は該サービスに関する情報を管理するためのホスティングサービス管理手段と、ネットオークションの開催及び管理を行うためのネットオークション管理手段とを備えることを特徴としている。
請求項１０に記載の前記ホスティングサービス管理手段は、フリーペーパー等の記録媒体に掲載された前記商品又はサービス提供者のクーポン券、メニュー等のサービスコンテンツの広告に含まれる該商品又は該サービス提供者用の前記ユニークＩＤを有するユニークなメールアドレス宛ての利用者からの電子メールを受信した場合、前記商品又はサービス提供者用に用意されたコンテンツ毎に対応するユニークなメールアドレスをそれぞれ付加したコンテンツリストを返信用電子メールとして当該利用者に自動返信し、さらに、利用者が受信して選択した前記返信用電子メール中の所望のコンテンツに対応するユニークなメールアドレス宛ての電子メールを受信した場合、利用者から受信した該電子メールに含まれる前記ユニークなメールアドレスに基づき利用者が所望するコンテンツの詳細を電子メール毎に対応するユニークなメールアドレスを貼付け返信用電子メールとして自動的に返信することを特徴としている。
請求項１１に記載の前記ネットオークション管理手段は、タウン紙等の情報媒体に掲載された商品のネットオーション広告のオークション商品毎に対応して貼付けられた前記ユニークＩＤを有するユニークなメールアドレス宛ての利用者からの電子メールを受信した場合、前記オークション商品毎に対応する入札申込み用のユニークなメールアドレスを付加した返信用電子メールを当該利用者に自動返信し、さらに、利用者が受信した入札申込み用の前記返信用電子メール中の所望のオークション商品に対応するユニークなメールアドレス宛ての電子メールを受信した場合、利用者から受信した該電子メールに含まれる前記ユニークなメールアドレスに基づき入札情報としてデータベースに登録し、入札条件を満たして落札決定後に電子メール毎に異なる前記ユニークなメールアドレスを埋込んだ返信用電子メールによって当該利用者に落札通知を行うことを特徴としている。
請求項１２に記載の前記利用者に対する返信用電子メールには、関連する当該商品又は当該サービスに関する情報を掲載したＷｅｂサイトへのリンク情報が埋込まれていることを特徴としている。
請求項１３に記載の前記ユニークＩＤを有するユニークなメールアドレス宛ての利用者からの電子メールは、Ｗｅｂページ内のリンク情報又はＷｅｂフォームメールに含まれる該ユニークなメールアドレスに基づき送信されることを特徴としている。
【発明の効果】
【００１３】
本発明によれば、ＩＭＲ（電子メール自動応答）システムの導入により電子メールソフトの相違や、ＰＣ、ＰＤＡ、携帯電話等のクライアント端末の相違にも関わり無く同一サービスを提供できるので、例えば、携帯機器で受けた電子メールをＰＣ等の他のクライアント端末に転送した電子メールに対して返信処理を行っても、ＩＶＲやＷｅｂによる従来の仕組みのように、オンライン中のみと言った通信回線接続中のみのサービスでは無く、長期的なインタラクションに対応でき、各種メールソフトの相違に一切関わりなく総合的な管理が可能になる。
また、電子メール自動応答システムを用いることにより、電子メールの流れをシステムで全て一元管理できるので顧客の嗜好がより把握しやすくなり、一人のユーザが複数のメールアドレスを使い分けるという時代環境においても、ネットオークション等の電子商取引におけるサービスチャンネルの効率的な展開が可能となる。その他、各種事業体における広報、販売、サービス活動に絶大な威力を発揮できるという効果がある。
【発明を実施するための最良の形態】
【００１４】
以下、本発明を実施するための最良の形態について図を参照して説明する。
図１は、本実施の形態におけるネットオークションシステムの構成図である。
図１において、１は通信ネットワークを介してＩＭＲ（電子メール自動応答）システムを用いたネットオークション等の電子商取引のビジネスを展開・管理して、一般ユーザ（利用者）からの電子メールを受付け、自動的に応答する電子メールを発信し、これらの電子メールを関連づけスレッド化して業務を展開するコンピュータシステムによる管理センターであり、２（２ａ、２ｂ）はインターネット等の広域ネットワーク３を介して管理センター１との間で電子メール等を送受信し情報の授受を行う不特定多数の利用者端末である。
【００１５】
４は管理センター１内のＷｅｂサーバであり、複数の管理担当者の端末２１（２１ａ、２１ｂ）に専用の通信回線２２を介して接続すると共に、一般ユーザ２に対するＷｅｂメールサービス等を行う際の情報管理を行っている。５はメールサーバで、メールアドレスに基づいて電子メールの送受信を行う。管理センター１は、ユニークＩＤ生成・復号・照合手段９によって送信メール毎に暗号化されたユニークＩＤを有するユニークな発信元メールアドレスを生成し、差出人欄に付与して、電子メールの属性、あて先、標題、等と共にヘッダ情報の中に埋込み、メールサーバ５を介して電子メールを自動送信する。この場合、電子メールのエンベロープにも同じユニークな発信元のメールアドレスを含む。なお、こうしたメールサーバ５を管理センター１内に組込んだ形態としているが、外部のメールサーバを利用する形態としてもよい。
【００１６】
６はメール情報ボックス管理手段であって、利用者端末２から受信するメールボックスの電子メールを、受信した電子メールに対して自動応答するために分類したカテゴリを階層化して保持している。７はメール振分け手段であって、ユーザからの電子メールの問合わせ内容等から、どのカテゴリに属するかを判断して、それぞれのカテゴリに振分け、各カテゴリには（ａ−１）等のユニークな符号を割当てる。８は自動返信文作成・返信手段であって、ユーザからの問合わせに自動返信するためのカテゴリ毎に対応する返信文の雛形を予め生成しておいて、この雛形を基にユニークＩＤを含む発信元メールアドレスを電子メールに埋込み、問合わせ等を行ったユーザへ自動送信する。９はユニークＩＤ生成・復号・照合手段であり、電子メール毎に異なるセッションＩＤ等のユニークＩＤを含むユニークなメールアドレスを生成して自動返信メールに埋込むと共にデータベースに保管し、ユーザからの電子メールに埋込まれたユニークＩＤを復号し解析して照合を行い、各電子メールの関連情報を確認する。
【００１７】
１０はユーザ認証手段であって、電子メールを登録するデータベーステーブルに、セッションＩＤに対応する顧客のユーザＩＤを発行・登録するユーザＩＤ登録手段と、各種契約時のＩＤ、パスワードのユーザ認証等のユーザ管理を行うと共に、通常のＳＭＴＰ等によるメールアドレスとＷｅｂフォームメールのアドレスの場合やメール転送時のような、異なるメールアドレス間でもＩＭＲ機能を実現できるように、同一ユーザによる複数のメールアドレスの場合には、全体として通しのユニークＩＤとなるような関連付けを行うユーザ識別手段とを有する。例えば、同一ユーザがａ＠ｄｏｍａｉｎ、とｂ＠ｄｏｍａｉｎ、…等のように２つ以上のメールアドレスを有する場合に、「ａ−ＸＹＺ」、「ｂ−ＸＹＺ」のようなカテゴリ名が異なる符号を同一ユニークＩＤに付加してユーザ識別と管理を行うように構成する。また、ユーザ認証に伴う各種データのセキュリティ管理等を行い、ユニークなメールアドレスをチェックデジット等により暗号化する際のエンコード・デコードを行うセキュリティ手段をも合わせて備えている。
【００１８】
１１はメール関連情報・スレッド管理手段であり、ユニークＩＤ生成・復号・照合手段９で生成された唯一無二の一通一通毎に異なる発信元メールアドレスに基づいて、受信、返信、転送等の電子メールの関連性を管理するもので、各カテゴリに振分けられ、セッションＩＤ等のユニークアドレスにより、データベーステーブルに順次登録される電子メールを管理するＩＭＲ（自動応答システム）におけるメール管理を行う他、以上のような無人型ＩＭＲによる自動応答システムだけではなく、例えば、管理センター１のオペレータとユーザとがインタラクティブに電子メールの交換によって対話型のサービスを行う場合等も含めて、ユニークな発信元メールアドレスから発信された送信メールと発信元メールアドレス宛てに返信された受信メールとをスレッド化して親子関係を管理し、関連情報をデータベース２０に保存してデータベース２０から取出すための処理と、受信した電子メールに対して返信する場合に、発信元メールの送信先メールアドレスと返信メールの送信先メールアドレスとの関連情報と、受信した電子メールを転送する場合に、発信元メールの送信先メールアドレスと転送メールの送信先メールアドレスとの関連情報をデータベース２０に保存し、管理センター１は転送先からの返信に対しても関連を追尾可能にして識別できるようにしている。
【００１９】
１２はＷｅｂメール等の異なるメールアドレスも含めて総合的に管理するメール管理手段であって、ユーザ認証手段１０に含まれるユーザＩＤ登録手段及びユーザ識別手段と連携し、ユーザのメールアドレスが通常のメールアドレスか、Ｗｅｂメールなどのサブアドレスかを判断して、同一ユーザによるメインアドレスとＷｅｂメール等のサブアドレスの双方を管理してアドレス管理を行い、ホスティングサービスやネットオークション等の総合的なメール管理を行う。
【００２０】
１３はホスティングサービス管理手段であって、ＩＭＲシステムを利用してユニークＩＤを有する電子メールシステムによる地域密着型の各種ビジネスのホスティングサービスを行い、例えば、「クーポン券のお知らせ」、「お店や、イベント等の予約受付」、「キャンペーン情報のお知らせ」、「お店のご紹介、場所や営業時間のお知らせ」、「お店の詳細なメニューのご紹介」、「エステ情報の詳細」などの各種コンテンツによる店舗・事業体の営業をサーバシステムにより支援して、地域密着型のホスティングサービスを展開し管理する。
【００２１】
１４はネットオークション管理手段であり、ＩＭＲシステムを用いたユニークＩＤを有する電子メールシステムにより、地域密着型のネットオークション（商品売ります）や、逆オークション・サービス（逆に、商品買います）を展開し管理する。返信メールのリンク情報にはＷｅｂページを含み、最新オークション情報へのページリンク等のサービスを行い、電子メールへの画像添付、各種ファイルの添付も行ってきめ細かいオークションサービスの展開を支援・管理する。
１５はデータベース２０に対するデータの保存・蓄積・参照・検索・取出し等を管理するデータベースサーバである。
【００２２】
次に、電子メール自動応答システムについて、先ず、一般的なパターンを基に、その基本構成について詳しく説明する。
図２は、図１に示すユニーク１Ｄ生成・復号・照合手段９で生成されたユニークなメールアドレスの一例を示す図である。
図２に示すユニークなメールアドレスは、「１１１１１１０＠ｄｏ．ｍａ．ｉｎ」のように、例えば、＠前の７桁のコードで構成される。このセッションＩＤは電子メール毎に付与される唯一無二のユニークなもので、ユーザを一意に識別してセッションを確立し、インタラクティブ性を継続できるようにするものである。
また、ユーザ認証手段１０に含まれるセキュリティ管理手段により、「１１１１１１０＠ｄｏ．ｍａ．ｉｎ」等のユニークなメールアドレスに対して各種のコード変換によりチェックデジットを付加することや、さらに各種のアルゴリズムで暗号化する暗号化処理等により、例えば、「１１１１１１０ＡＢＣ＠ｄｏ．ｍａ．ｉｎ」などとすることによりセキュリティを高め、メールアドレスを想定して大量に送られるｓｐａｍメール等を排除することを可能にする。
なお、本明細書中の＠以降のドメイン名については、＠ｄｏ．ｍａ．ｉｎ、＠ｘｙｚ．ｊｐ等の適宜異なるドメイン名を使用している。
【００２３】
図３は、図１に示すスレッド処理を行うためのメール情報ボックス管理手段６によるメールボックスの階層化を示す図であり、ユーザの電子メールを受け付けるメールボックスは、階層化されたカテゴリで構成されており、受信した電子メールは所定の条件により各カテゴリに振分けられ、データベース２０に格納される。各カテゴリには自動返信文作成・返信手段８により予め作成しておいた自動返信文が登録されており、カテゴリに振分けられた電子メールに対し、データベース２０に登録された図４に示すような自動返信文を用いて図６に示すような管理センター１宛てのユニークなメールアドレスが埋込まれた電子メールを自動的に返信する。この場合の操作手順は、図１１の自動送信ブロック図に示すような構成により、データベース２０に登録した送信先のメールアドレスを検索部３４により取得して宛先設定部３１により自動設定し、メール文作成部３２において、登録されている雛形文３３に管理センター１宛てのユニークなメールアドレスを埋込み、メールサーバ５の送信部３０より自動送信する手順となる。なお、図６の例では、発信元アドレスに「１１１１１１１＠ｄｏ．ｍａ．ｉｎ」のユニークなメールアドレスを用いて利用者に電子メールを送信し、これを受信した利用者が「商品ＥＥＥのご紹介」の情報を得たい場合には「１１１１１１１＠ｄｏ．ｍａ．ｉｎ」、「商品ＦＦＦのご紹介」の情報を得たい場合には「１１１１１１２＠ｄｏ．ｍａ．ｉｎ」のそれぞれユニークなメールアドレスを選択し、選択したメールアドレス宛て（管理センター１宛て）に電子メールを送信する、という操作になる。
【００２４】
各カテゴリには、図３に示すような「ａ−１」、「ａ−２」…、というようなユニークな符号が割り振られており、一例として、ユーザから電子メールを１通受信し、「ａ−４」カテゴリに属する「商品ＤＤＤのご紹介」に振分けられたとする。この時、メール振分け手段７により、図５に示すようなデータベーステーブルに、振分けられたカテゴリと、次候補の子カテゴリの情報が登録されて、自動返信文作成・返信手段８からは図６に示す電子メールが返信される。図５に示すテーブルは、セッションＩＤ（１００００００〜１１１１１１２）、振分けられたカテゴリ「ａ−１」〜「ａ−４」、次に振分けられる子カテゴリ「ａ−２」〜「ａ−６」、共通な要素を含む複数のカテゴリの上位概念として、これらのカテゴリをまとめた処理区分を表すトピックＩＤ、トピックＩＤ内で処理され電子メールの送受信順に割り振ったシーケンシャルなトピックシリアルＩＤ（この場合はユーザが返信してくる可能性のある電子メールに対するレコードは同じになる）、とで構成されている。このデータベーステーブルのセッションＩＤによりユーザが一意に識別され、電子メールの連続性が認識されて、メール管理が行われる。これによって転送先からのアクセスに対しても、例えば、会社のＰＣから自宅に電子メールを転送して、自宅の異なるクライアント端末から返信しても、ユニークＩＤにより識別、追尾して継続したメール管理を可能にする。
【００２５】
次に、メール関連情報・スレッド管理手段１１による、電子メールのスレッド化管理の処理について図７〜図９を参照して、以上に説明したセッションＩＤ付与による人手の要らないＩＭＲ自動応答システムでのメール管理と、その他に、電子メール交換による対話形式の営業活動型等の管理担当者を含むＩＭＲ方式（出願人が前に提案している）についての例も含めて、電子メールのスレッド化管理について詳述する。
図７は対話型ＩＭＲの場合の例であって、メールアドレス：ｕｓｅｒ＠ｄｏ．ｍａ．ｉｎのユーザ（顧客）との電子メールのやり取りを基にスレッドの生成・管理を行う様子を示す説明図であり、電子メールのやり取りによる時間の推移に沿って、図８にスレッド管理テーブルの内容を、図９にその際の電子メールの内容を、それぞれ（ａ）、（ｂ）、（ｃ）図として示す。
【００２６】
例えば、システムからの送信メール「質問」に対する受信メール「Ｒｅ：質問」は図７のトピックＩＤ：１に示すようにスレッド化されて表示される。一例として次のトピックＩＤ：２の話題を参照しながらスレッド化について説明する。
先ず、図７に示すように管理センター１はユーザの送信先メールアドレス（ｕｓｅｒ＠ｄｏ．ｍａ．ｉｎ）宛てに、送信元アドレス（ｓｔａｆｆ＠ｄｏｍａｉｎ．ｃｏｍ）からの電子メール「アンケートのお願い」を送信する。（シリアルＮｏ．１／管理ＩＤ１）。管理センター１からの送信メールに対してユーザから回答された２通の受信メール「Ｒｅ：アンケートのお願い」が返信されたとする（管理ＩＤ２、管理ＩＤ３）。次に、管理センター１は管理担当者によって、受信した電子メール（管理ＩＤ２、管理ＩＤ３）の回答欄に記載されたユーザからの質問に対する返信メール「Ｒｅ：Ｒｅ：アンケートのお願い」を送信する。一つはユーザからの質問について後日回答する旨の内容を送信し（シリアルＮｏ．２／管理ＩＤ４）、もう一つの質問にはその場で回答して送信する（シリアルＮｏ．３／管理ＩＤ５）。
【００２７】
ここまでの電子メールのやり取りは、図８（ａ）に示すように、スレッド管理テーブルに登録・保存されている。図８（ａ）のスレッド管理テーブルは、トピックＩＤ２の話題について、シリアルＮｏ．１、２、３の電子メールを送信済みで、シリアルＮｏ．１の送信メールに対してユーザから２通の返信メールを受信済みであることを示している。
ここで図７、図８に示す管理ＩＤは送受信に関わらず同一トピックの電子メールに対し時間の推移に沿って番号が順に発行され、シリアルＮｏ．は管理センター１から電子メールを送信する度に順番に発行されるもので受信時には発行されない。スレッド管理としては図８に示すように、親子関係を示すために送信シリアルＮｏ．と関連する親管理ＩＤが記録される。
再度、図７において、前回回答できなかったユーザからの質問に対し、回答が用意できたので、再々度返信メール「Ｒｅ：Ｒｅ：アンケートのお願い」を送信する（シリアルＮｏ．４／管理ＩＤ６）。管理ＩＤ２の電子メールに対し送信された返信メールに、新しいシリアルＮｏ．４を発行し、スレッド管理テーブルに管理ＩＤ６として登録された様子を図８（ｂ）に示す。（管理担当者はこうした履歴スレッドの内容に対しセキュリティ部門より付与される権限内で所定の手続きを経てアクセスすることができる。）
【００２８】
図９に、トピックＩＤ、シリアルＮｏ．の情報を含むユニークな発信元メールアドレスを自動生成してＦｒｏｍ（差出人）アドレスに用い、メールヘッダを自動的に生成して電子メールを送信する一例としてその内容を示す。なお、ユニークな発信元メールアドレスは、例えば、“ａｂｃｄ−１２３４５−０００１−ｚｚｚ１＠ｕｖｗ．ｘｙｚ．ｊｐ”、と言うような構成にして（頭から、ａｂｃｄ：カテゴリコード、１２３４５：トピックＩＤ、０００１：シリアル番号、ｚｚｚ１：担当者コード、＠以下：ドメイン名、を表す）、必要な情報を適宜組み込むようにしてもよい。
図９（ａ）は、Ｔｏ（宛先）アドレス欄にｕｓｅｒ＠ｄｏ．ｍａ．ｉｎを、Ｆｒｏｍ（差出人）アドレス欄に、トピックＩＤ２、シリアルＮｏ．４、及び送信元アドレスｓｔａｆｆ＠ｄｏｍａｉｎ．ｃｏｍを基にｓｔａｆｆ−２−４＠ｄｏｍａｉｎ．ｃｏｍというユニークアドレスを自動生成し、さらに暗号化した発信元メールアドレスとしてｓｔａｆｆ−ａＢｃＤｅＦｇ＠ｄｏｍａｉｎ．ｃｏｍをヘッダ情報に記載した送信メールの内容を示している。Ｒｅｐｌｙ−Ｔｏ（戻り先）には、ｓｔａｆｆ−ａＢｃＤｅＦｇ＠ｄｏｍａｉｎ．ｃｏｍが記載される。Ｓｕｂｊｅｃｔ欄は、ＩＳＯ−２０２２準拠の文字コードＩＳＯ−２０２２−ＪＰによりデコードされることで正しく表示できるものであるが、ここではデコードせず示している。
図９（ｂ）は、ユーザからの返信内容を示し、図９（ｃ）は、復号化、解析された受信メールを示している。
【００２９】
以上、対話型ＩＭＲの一般的な場合の電子メールのスレッド化管理について説明したが、図５に示した自動応答ＩＭＲシステムの場合のデータベーステーブルも、図８に示す一般的なスレッド管理テーブルの形式に変換してカスタマイズし、システムとして一元管理を行うことも可能である。
図１０は、図５に示すテーブルのスレッド管理テーブルへの変換例である。
図１０に示す変換テーブルの構成は、管理ＩＤ、親管理ＩＤ、種類、件名（セッションＩＤ＋カテゴリＩＤ）、子カテゴリ、トピックＩＤ、トピックシリアルＮｏ．となる。なお、図１０の場合は、ユーザからの発信元メールアドレスの記載の無い問合わせメールに対して、“１００００００ａ−１”のように全て自動返信されるものなので、ユーザからの受信は件名に記載せず、センターからのユーザ宛ての自動送信のみを件名に記載し、種類の項目も全て送信としている。なお、ユーザが次候補として記載されている子カテゴリを、「Ｒｅ：カテゴリ」の形でセンターへ再度選択、返信するような場合は、図８のスレッド管理テーブルと同形式で、受信項目も登録してスレッド管理するようにしてもよい。このように一元管理することによって、データベースサーバ１５の処理が効率化され、登録・検索処理がスピードアップできる。
【実施例１】
【００３０】
次に、以上説明した基本的なＩＭＲシステムを用い、具体的な電子商取引ビジネス例としてのホスティングサービス業務について説明する。
このサービスの形態は広域型ではなく、例えば、渋谷区域内などというような、地域を限定した地域密着型の電子商取引サービスのビジネスとして、地域内の商店、営業所などから依頼を受けて、チラシ広告、フリーペーパー等に書き切れない情報を、ＩＭＲシステムを用いた電子メールにより不特定多数のユーザを対象に広報サービスを行うものであり、特に、携帯電話機を使用するユーザにとっては、コスト負担が軽く、携帯電話機の機種に依存しないので、Ｗｅｂページを用いたものよりも機能的で便利な使い方ができるようになる。
【００３１】
図１２は、ホスティングサービスの処理の流れに沿った携帯電話機の画面の一例であり、図１２を参照して処理の詳細を説明する。
先ず、管理センター１は、図１２（ａ）に示すように、依頼された店舗毎にメールボックス専用のメールアドレスを生成する。このメールアドレス（〇〇店用）：「ａｂｃ＠ｘｙｚ．ｊｐ」は、先述のＩＭＲ（メール自動対応）システムによるアドレス法則に基づいて置換すれば、例えば、「０００００００＠ｘｙｚ．ｊｐ」という、７桁のセッションＩＤ「０００００００」の後に「＠ｘｙｚ．ｊｐ」のドメイン名を付加したユニークなメールアドレスとなる（ステップ１、以降Ｓ１と略す：ステップ番号、処理フローは図示せず）。
（なお、ここではユニークＩＤをＩＭＲの７桁のセッションＩＤとして「０００００００」に置換しているが、先述のＩＭＲシステムとの関連上、より説明し易いようにするためであって、ユニークＩＤフォーマットは、これに限定されるものではない。又、ドメイン名としてはｘｙｚ．ｊｐ等を使用しているが、ドメイン名は適宜使い分け使用するものとする。）
このユニークなメールアドレスを配信メールやフリーペーパーに貼付けて掲載するなどによりユーザ２に広告する（Ｓ２）。
ユーザ２はフリーペーパーに貼付けられ掲載されたメールアドレスを参照し、図１２（ａ）のようなメールアドレス宛ての件名、本文を記入しない「空メール」を送信する（Ｓ３）。
【００３２】
管理センター１のメール情報ボックス管理手段６は、メールサーバ５を介して、メールアドレス宛ての空メールを受信すると、図３に示すようなカテゴリ情報と、図５に示すようなカテゴリとセッションＩＤ対応テーブルを参照して、それぞれのユニークなメールアドレスが添付されたコンテンツリストを作成する。
この図１２（ｂ）に示すような、コンテンツ目次（リスト）を返信メールとしてユーザのメールアドレス宛てに自動返信する（Ｓ４）。
ここで、コンテンツリストには、今月のおすすめ、クーポン券、ファンクラブ情報、イベント情報の４つがカテゴリとして、リストアップされる。コンテンツ毎にユニークなメールアドレスとして「今月のお勧め：ΔΔ＠ｘｙｚ．ｊｐ」、「クーポン券：〇〇＠ｘｙｚ．ｊｐ」、「ファンクラブ情報：◇◇＠ｘｙｚ．ｊｐ」、「イベント情報：☆☆＠ｘｙｚ．ｊｐ」、がリンク情報として埋込まれているが、これを先述のＩＭＲのアドレス法則に則ってセッションＩＤフォーマットに置換すれば、
「今月のお勧め：ΔΔ＠ｘｙｚ．ｊｐ→１００００００＠ｘｙｚ．ｊｐ」、
「クーポン券：○○＠ｘｙｚ．ｊｐ→１０００００１＠ｘｙｚ．ｊｐ」、
「ファンクラブ情報：◇◇＠ｘｙｚ．ｊｐ→１００００１０＠ｘｙｚ．ｊｐ」、
「イベント情報：☆☆＠ｘｙｚ．ｊｐ→１００００２０＠ｘｙｚ．ｊｐ」、
等のようになる。
【００３３】
このコンテンツリストを受信したユーザが、自分の所望するメールアドレスをクリックして確定し（Ｓ５）、Ｓ３の処理と同様な本文を記入しない空メールを送信する（Ｓ６）。
例えば、ユーザが図１２（ｂ）のように、「今月のおすすめ：ΔΔ＠ｘｙｚ．ｊｐ→１００００００＠ｘｙｚ．ｊｐ」をクリックして空メールを送信したとすれば、空メールを受信した管理センター１は、図１２（ｃ）に示すような、最終の自動返信文が返信される（Ｓ６）。
以上の処理に対して、予め店舗と管理センター１間で取り決められた所定の手数料等の報酬支払いが行われる。
【００３４】
図１３は、図１２に示したコンテンツ例を示す図であって、図１３（ａ）に（１）〜（１３）の１３個の各種コンテンツ例を示している。図１３（ｂ）は、管理センター１からの返信用メールの雛形である。情報リスト一覧にコンテンツリストを書込むと図１２（ｂ）のようになる。
図１４は、各コンテンツについての管理センター１からの最終の自動返信メールの一例を示しているもので、図１４（ａ）は、図１３（ａ）に示したコンテンツＮｏ．（２）の「クーポン券」についての自動返信メールであり、図１４（ｂ）は、コンテンツＮｏ．（７）の「予約」についての最終の自動返信メールである。同じく図１４（ｃ）は、「キヤンペーン情報」の、図１４（ｄ）は、「場所・営業時間」の、図１４（ｅ）は、「どんなお店？」の最終の自動返信メールである。
【実施例２】
【００３５】
次に、図１５を参照して実施例２について説明する。
図１５は、「件名」が同一コンテンツの場合の、自動返信メールの例を示す図であり、図１５（ａ）は、雛形画面であり、図１５（ｂ）〜（ｆ）が処理の流れに沿った画面の一例で、図１４の場合は「件名」が〇〇店という、店舗単位で各コンテンツは平行分岐し、それぞれがコンテンツ毎に分岐完結型の自動返信メールタイプであったが、図１５の場合には、「件名」がエステ情報と、コンテンツ単位となり、コンテンツ情報が、更に、階層的に連結リンクする例であって、図１５（ｂ）〜図１５（ｆ）までが、連結・交信されて自動返信メールが終了する例である。
【００３６】
以下、図１５を参照して処理の詳細を説明する。
例えば、図１５（ｂ）のスタート画面から、ユーザはユニークなメールアドレス：〇〇−ｃ＠ｘｙｚ．ｊｐを、ＩＭＲシステム内で置換した「１１１１１１０−ｃ＠ｘｙｚ．ｊｐ」のメールアドレス（ＩＭＲアドレスと称する）宛てに空メールを送信して（Ｓ２０）（ステップ番号、処理フローは図示せず）、図１５（ｃ）に示す自動返信メールを管理センター１から受け取る（Ｓ２１）。
エステ情報リストの中から、１．全体的に肌が乾燥：「ｃ２＠ｘｙｚ．ｊｐ→１１１１１１１−ｃ２＠ｘｙｚ．ｊｐ」をクリックして（Ｓ２２）、空メールを送信する（Ｓ２３）。
空メールを受信した管理センター１は、ｃ２＠ｘｙｚ．ｊｐにリンクした図１５（ｄ）に示すようにｃ２にリンクして、ｃ２−１、ｃ２−２、ｃ２−３、ｃ２−４のエステ情報リストを自動送信する（Ｓ２４）。
この図１５（ｄ）のエステ情報リストから、ユーザが例えば、３．日常的：「ｃ２−３＠ｘｙｚ．ｊｐ→１１１１１１４−Ｃ２−３＠ｘｙｚ．ｊｐ」のエステ情報を選択クリックして（Ｓ２５）、空メールを管理センター１宛てに送信する（Ｓ２６）。
【００３７】
空メールを受信した管理センター１は、図１５（ｅ）に示すようなｃ２−３にリンクして、ｃ２−３−１、ｃ２−３−２、ｃ２−３−３のエステ情報リストを自動返信する（Ｓ２７）。
図１５（ｅ）のようなエステ情報リストから、ユーザが例えば、２．粉をふいた様：「ｃ２−３−２＠ｘｙｚ．ｊｐ→１１１１１１７−ｃ２−３−２＠ｘｙｚ．ｊｐ」を選択クリックして（Ｓ２８）、空メールを管理センター１宛てに送信する（Ｓ２９）。
空メールを受信した管理センター１は、図１５（ｆ）のような最終の自動返信メールを送信して、一連の処理を終了する。
【００３８】
ここで実施例１と実施例２を比較して整理すると、実施例１は「今月のおすすめ」や「クーポン券」などの各コンテンツ（カテゴリ）が独立完結型なので、メール振分け手段７により振分けられるメールボックスのカテゴリ階層図は、リンク・階層化されないので図１６のようになり、この場合は各コンテンツが独立なので、図３に示した基本構成の図面のような、カテゴリ毎に付与された「ａ−１」、「ａ−２」…等のユニークな符号と、セッションＩＤとでユニークＩＤを２元化する必要が無いので、ユニークなメールアドレスの処理はセッションＩＤに一元化されて、セッションＩＤと自動返信メール文とが直接対応付けられている。
一方、実施例２の場合は、図１７に示すように、図１５（ｃ）の１．全体的に肌が乾燥、に対して、図１５（ｄ）の１．〜４．が階層リンクとなり、更に、図１５（ｄ）の３．日常的、に対して図１５（ｅ）の１．〜３．が階層化リンクの関係になるので、対応する図１７に示すように、セッションＩＤ［１１１１１１４−ｃ２−３］日常的、に対して［１１１１１１６−ｃ２−３−１］カユミがある、［１１１１１１７−Ｃ２−３−２］粉をふいた様、［１１１１１１８−ｃ２−３−３］その他、の３つが階層化リンクされ、実施例１とは異なり、各コンテンツ（カテゴリ）が連結リンクとなる。
【００３９】
また、実施例１の場合のデータベーステーブルは、図５に示す基本構成の場合と比較して、図１６のようにセッションＩＤのみで一元化しているので、リンク元のカテゴリ、リンク先のカテゴリの欄が必要無くなるので、図１８のようなテーブル構造となる。
また、実施例１の場合のスレッド管理テーブルは、図１９に示すようなテーブル構造となる。実施例２についても同様に構成することができる。
以上のように、実施例１の場合は図１６、図１８、図１９のように、カテゴリ同志がリンク無しの独立型なので、セッションＩＤのみで一元管理される。
実施例２は図１７に示すように、階層リンク管理型なので、「１１１１１１４」のセッションＩＤと「ｃ２−３」のユニーク符号とで「１１１１１１４−ｃ２−３」のように２元管理される。
従って、図３、図５、図８に示した基本構成の場合のテーブル構造は一般的な形態として、実施例１と実施例２とを合わせたハイブリット型の電子メール管理のテーブル構造であるということができる。
このようにして連続性を維持しながら電子メールの追跡・管理をすることができ、このシステムにより地域密着型セカンダリー市場等をターゲットに、地域の商店街、スーパーマーケット、ホームセンター等の特売情報等や、地域内の分譲マンションの紹介等も掲載して電子商取引のビジネスを展開することが可能になる。
【実施例３】
【００４０】
次に、実施例３について図を参照して説明する。
図２０は、ネットオークションでの入札を示す図である。
先ず、地域のタウン誌や、チラシ等の宣伝媒体に、図２０に示したようなオークション紹介記事を掲載する。紹介記事のオークション商品には、例えば、今回依頼のオークション商品（回転椅子等）の商品毎に付加されるユニークＩＤ［ａ−１］としての商品ＩＤと、商品名（この場合は、回転椅子）、オークション開始価格（１５０００円等）、入札期限（２００４．４，１０〜２００４．６．２５まで等）、空メールの専用アドレス（セッションＩＤを付加したメール毎のユニークなメールアドレス：１００００００＠ｘｙｚ．ｊｐ等）とで構成された情報が記載され、入札を希望するユーザは記載されたメールアドレス宛てに空メールを送信する。掲載情報としては図２０に示したように、さらに写真等の商品画像を加えてもよい。
図２０がＷｅｂブラウザ等のクライアント端末の画面に示される場合は、入札ボタンを用いて入札するように構成しても良い。Ｗｅｂブラウザ上で電子メールの送受信をするＷｅｂメールの場合は、ユーザにＩＤ、パスワードを入力させて認証し、クライアント端末のクッキー機能或いは＜ｆｏｒｍ＞タグ等を利用してユーザのセッション管理を行い、アクセスしているユーザを特定すると共に、ユニークな返信用メールアドレスの管理も行う。
【００４１】
次に、図２１、図２２のオークション開催フローチャートを参照してオークションの手順を説明する。
先ず、タウン紙等の地域情報紙に掲載されたオークション情報を見たユーザから、掲載されたオークション商品に対応するユニークなメールアドレスへ空メールが送信されると（Ｓ１００）、管理センター１のメール管理手段１２は、ユーザ認証手段１０のユーザ識別手段により、ユーザのメインアドレスか、Ｗｅｂフォームアドレス等のサブアドレスか、を識別して（Ｓ１０１）、メールがＷｅｂメール等のサブアドレスの場合は、ＩＭＲシステムによる履歴メールのユニークアドレス追尾・管理を行って、ユーザのメインアドレスが判明した段階で、同一ユーザ所有の複数のメールアドレスとしてリンク付け管理する（Ｓ１０２）。
Ｓ１０１の判断において、Ｗｅｂメール等のサブアドレスではない場合、又は、Ｗｅｂメールの場合にサブアドレスとしての登録・管理が済んだら、管理センター１のネットオークション管理手段１４は、ユーザからの空メールに対して図１２に示したものと同様にしてネットオーションの入札用のメールを自動返信する（Ｓ１０３）。
Ｗｅｂブラウザを介して行う場合は、図２０に示すように、商品の入札文と一緒に商品の２次元画像（この場合、回転椅子）ファイルが添付される。この場合は、画面に示されたオークションの一覧リスト（図示せず）からユーザが希望する商品を選択クリックすることにより、例えば、簡単な商品紹介画像として、デジタルカメラ等により撮影した２次元画像によるデジタルデータの当該商品の写真を添付する。
その他、電子メール内のリンク情報としてＷｅｂページのＵＲＬへの埋込みも行われ、チラシやタウン紙には未掲載の関連オークション情報のＷｅｂページ等もリンク表示できる。また、返信メールのリンク情報として商品の詳細な画像情報を含むＷｅｂページへリンクを貼ることで、ユーザがオークション商品のより詳細な画像や商品に関する資料を要求することもできる。
【００４２】
ユーザは管理センター１からの入札用の自動返信メールを受け取ったら、希望価格を入力して（Ｗｅｂブラウザの場合は入札ボタンを押して）、返信用メールに添付されたユニークアドレス（この場合は、１００００００＠ｘｙｚ．ｊｐ等）宛てに送信して入札を行う（Ｓ１０４）。
入札メールを受け取ったネットオークション管理手段１４は、商品ＩＤ（ａ−１等）と、セッションＩＤによる入札情報をデータベース２０に登録して（Ｓ１０５）、ネットオークションの締切り期限が、未だ来ていなければ（Ｓ１０６）、オークション手続きを続行する。
【００４３】
図２２へ移って、管理センター１のネットオークション管理手段１４は、オークション締切り期限が来たか、又は、出品者がオークション終了を希望した場合に、オークションを締切り、先にデータベース２０にその都度登録したオークション情報を読出して、最高価格入札者を抽出し落札を決定する（Ｓ１０７）。
落札者を決定したら、出品者と落札者の双方へ電子メールで落札通知を行う（Ｓ１０８）。落札通知メールには、それぞれ商品ＩＤ（ａ−１等）とＩＭＲシステムによるユニークアドレス（例えば、１０００００１＠……、１００００１０＠……等のセッションＩＤを含むアドレス）が書込まれる。
【００４４】
あわせて、ネットオークション管理手段１４は、事前に予め決められている決済方法（前金、又は、後払いによるカード決済、あるいは振り込み、着払い等）により、管理センター１の手数料（例えば、１０％）を上乗せした金額を落札金額として通知する（Ｓ１０９）。
管理センター１は支払い金額全額又は一部の入金が確認されたら、出品者に商品の発送を依頼し、宅配便などにより落札者宛てに商品を配送する（Ｓ１１０）。
【図面の簡単な説明】
【００４５】
【図１】本発明の実施の形態における電子メール自動応答システムを用いたネットオークションシステムの構成図である。
【図２】図１に示すユニークＩＤ生成・復号・照合手段により生成されるユニークなメールアドレスの一例を示す図である。
【図３】図１に示すメール情報ボック管理手段によるカテゴリ階層化の例を示す図である。
【図４】図１に示す自答返信文作成手段による自動返信文を示す図である。
【図５】図１に示すメール振分け手段による登録されるデータベーステーブルの内容を示す図である。
【図６】図４に示す自動返信文による返信メールの内容を示す図である。
【図７】図１に示す顧客と管理センターの電子メール交換の説明図である。
【図８】図７に示す電子メールのスレッド管理テーブル（ａ）〜（ｃ）を示す図である。
【図９】図７に示す電子メールの実際例（ａ）〜（ｃ）を示す図である。
【図１０】図５に示すテーブルのスレッド管理テーブルへの変換を示す図である。
【図１１】図１に示す自動返信文作成・返信手段の構成を示す図である。
【図１２】実施例１のホスティングサービスにおける処理の流れに沿った画面の一例（ａ）〜（ｃ）である。
【図１３】図１２に示すコンテンツ例（ａ）及びその画面（ｂ）である。
【図１４】図１２に示すサービスの最終メール文例を示す画面（ａ）〜（ｅ）である。
【図１５】実施例２のホスティングサービスにおける処理の流れに沿った画面の一例（ａ）〜（ｆ）である。
【図１６】図１２に示すサービスのカテゴリ階層図である。
【図１７】図１５に示すサービスのカテゴリ階層図である。
【図１８】図１２に示すサービスのデータベーステーブルを示す図である。
【図１９】図１２に示すサービスのスレッド管理テーブルを示す図である。
【図２０】実施例３のネットオークションの入札を示す図である。
【図２１】図２０に示すネットオークションの入札処理のフローチャートである。
【図２２】図２０に示すネットオークションの落札処理のフローチャートである。
【図２３】従来のコールセンターシステムの構成図である。
【図２４】従来の電子メール管理システムの構成図である。
【図２５】従来のＷｅｂメールを使用する際の入力画面である。
【符号の説明】
【００４６】
１    管理センター
２    利用者端末
３    インターネット
４    Ｗｅｂサーバ
５    メールサーバ
６    メール情報ボックス管理手段
７    メール振分け手段
８    自動返信文作成・返信手段
９    ユニークＩＤ生成・復号・照合手段
１０    ユーザ認証手段
１１    メール関連情報・スレッド管理手段
１２    メール管理手段
１３    ホスティングサービス管理手段
１４    ネットオークション管理手段
１５    データベースサーバ
２０    データベース
２１    担当者端末
２２    通信回線
【図１】
2005322142.tif 000003
【図２】
2005322142.tif 000004
【図３】
2005322142.tif 000005
【図４】
2005322142.tif 000006
【図５】
2005322142.tif 000007
【図６】
2005322142.tif 000008
【図７】
2005322142.tif 000009
【図８】
2005322142.tif 000010
【図９】
2005322142.tif 000011
【図１０】
2005322142.tif 000012
【図１１】
2005322142.tif 000013
【図１２】
2005322142.tif 000014
【図１３】
2005322142.tif 000015
【図１４】
2005322142.tif 000016
【図１５】
2005322142.tif 000017
【図１６】
2005322142.tif 000018
【図１７】
2005322142.tif 000019
【図１８】
2005322142.tif 000020
【図１９】
2005322142.tif 000021
【図２０】
2005322142.tif 000022
【図２１】
2005322142.tif 000023
【図２２】
2005322142.tif 000024
【図２３】
2005322142.tif 000025
【図２４】
2005322142.tif 000026
【図２５】
2005322142.tif 000027